(57)【要約】【課題】容易かつ短時間に、複数の物体を固定または取り出すことができる転倒防止治具および転倒防止装置を提供すること。【解決手段】転倒防止治具１は、水平方向に延びる基台１１、第１仕切り部２１、２つの第２仕切り部３１、３２、２つの開閉部４１、４２、および落とし棒５１を備えている。第１仕切り部２１は、基台１１に設けられ、基台１１が延びる方向と略直交する方向に延びている。２つの第２仕切り部３１、３２は、それぞれ、第１仕切り部２１を挟んで基台１１に設けられ、第１仕切り部２１が延びる方向と略平行に延びている。２つの開閉部４１、４２は、それぞれ、２つの第２仕切り部３１、３２のそれぞれの先端に設けられ、略鉛直方向に延びる回動軸を中心に回動可能である。落とし棒５１は、第１仕切り部２１と２つの開閉部４１、４２とを係止可能である。【選択図】図２
2008169943.tif 000002
【特許請求の範囲】
【請求項１】
複数の物体の転倒を防止する転倒防止治具であって、
水平方向に延びる基台と、
前記基台に設けられ、前記基台が延びる方向と略直交する方向に延びる第１仕切り部と、
前記第１仕切り部を挟んで前記基台に設けられ、前記第１仕切り部が延びる方向と略平行に延びる２つの第２仕切り部と、
それぞれが、前記２つの第２仕切り部のそれぞれの先端に設けられ、略鉛直方向に延びる回動軸を中心に回動可能な２つの開閉部と、
前記第１仕切り部と前記２つの開閉部とを係止可能な係止部と、を備えることを特徴とする転倒防止治具。
【請求項２】
請求項１に記載の転倒防止治具において、
前記第１仕切り部には、略鉛直方向に延びる第１挿通孔が形成され、
前記２つの開閉部には、それぞれ、略鉛直方向に延びる２つの第２挿通孔が形成され、
前記係止部は、前記第１挿通孔の中心軸と前記２つの第２挿通孔のそれぞれの中心軸とが略鉛直方向に略同一線上に並んだ状態で、前記第１挿通孔と前記２つの第２挿通孔とを挿通することができる棒状部材を有することを特徴とする転倒防止治具。
【請求項３】
請求項１または２に記載の転倒防止治具において、
前記第１仕切り部および前記２つの第２仕切り部は、それぞれ、略鉛直方向に延びる回動軸を中心に回動可能に前記基台に設けられていることを特徴とする転倒防止治具。
【請求項４】
請求項１または２に記載の転倒防止治具において、
略鉛直方向に回動軸を有し、前記第１仕切り部を前記基台に取り付ける第１蝶番と、
それぞれが、略鉛直方向に回動軸を有し、前記２つの第２仕切り部をそれぞれ前記基台に取り付ける２つの第２蝶番と、をさらに備えることを特徴とする転倒防止治具。
【請求項５】
請求項１から４のいずれかに記載の転倒防止治具において、
前記複数の物体のそれぞれは、立設された略円柱状のガスボンベであり、
前記基台は、前記ガスボンベの高さに等しい高さから、前記ガスボンベの高さの半分の高さまでの範囲に設けられていることを特徴とする転倒防止治具。
【請求項６】
複数の物体の転倒を防止する転倒防止装置であって、
水平方向に延びる基台と、
前記基台が延びる方向に第１の所定の間隔をおいて前記基台に設けられた３以上の第３仕切り部と、
それぞれが、前記第３仕切り部のうち、１つの第３仕切り部とこれに隣接する第３仕切り部との間における前記基台に、前記基台が延びる方向に前記１つの第３仕切り部と前記隣接する第３仕切り部から前記第１の所定の間隔の半分の間隔をおいて設けられた複数の第４仕切り部と、
それぞれが、各第４仕切り部の先端に設けられ、略鉛直方向に延びる回動軸を中心に回動可能な複数の一対の開閉部と、
それぞれが、前記第４仕切り部のうち、１つの第４仕切り部における前記開閉部の一方とこれに隣接する第４仕切り部における前記開閉部の他方と第３仕切り部とを係止可能な複数の係止部と、を備えることを特徴とする転倒防止装置。
【発明の詳細な説明】
【技術分野】
【０００１】
本発明は、複数の物体の転倒を防止する転倒防止治具および転倒防止装置に関する。
【背景技術】
【０００２】
従来より、ガスボンベといった物体を保管する際には、転倒防止治具を用いて、物体が転倒するのを防止する（例えば、特許文献１参照）。
【０００３】
特許文献１に記載の転倒防止治具は、略鉛直方向に設けられた複数の柱と、複数の柱のうち隣接する２つの柱を固定するアール状のフレームと、複数の柱のうち隣接する２つの柱に取り外し可能に設けられた鎖と、を備えている。この転倒防止治具によれば、隣接する２つの柱の間に設けられたフレームおよび鎖により、これら２つの柱の間に配置された物体を固定して、物体が転倒するのを防止することができる。
【特許文献１】特開２０００−２５７７９８号公報
【発明の開示】
【発明が解決しようとする課題】
【０００４】
ところで、特許文献１に記載の転倒防止治具により、複数の物体を固定するためには、隣接する２つの柱の間に１つの物体を配置した後に、これら２つの柱に１つの鎖を取り付けるという作業を、物体の数の分だけ行う必要がある。また、特許文献１に記載の転倒防止治具により固定されている複数の物体を取り出すためには、隣接する２つの柱から鎖を取り外した後に、これら２つの柱の間に配置された１つの物体を取り出すという作業を、物体の数の分だけ行う必要がある。
【０００５】
すなわち、特許文献１に記載の転倒防止治具では、複数の物体を固定したり、固定されている複数の物体を取り出したりする際に、物体の数の分だけ、鎖を柱に取り付けたり、鎖を柱から取り外したりする必要があり、手間が掛かるとともに、時間が掛かる場合があった。
【０００６】
本発明では、容易かつ短時間に、複数の物体を固定または取り出すことができる転倒防止治具および転倒防止装置を提供することを目的とする。
【課題を解決するための手段】
【０００７】
本発明は、以上のような問題点に鑑みてなされたものであり、水平方向に延びる基台と、この基台に設けられた第１仕切り部および２つの第２仕切り部と、それぞれが、２つの第２仕切り部のそれぞれの先端に設けられた２つの開閉部と、第１仕切り部と２つの開閉部とを係止可能な係止部と、を備える転倒防止治具であることを特徴とする。
【０００８】
より具体的には、本発明では、以下のようなものを提供する。
【０００９】
（１）  複数の物体の転倒を防止する転倒防止治具であって、水平方向に延びる基台と、前記基台に設けられ、前記基台が延びる方向と略直交する方向に延びる第１仕切り部と、前記第１仕切り部を挟んで前記基台に設けられ、前記第１仕切り部が延びる方向と略平行に延びる２つの第２仕切り部と、それぞれが、前記２つの第２仕切り部のそれぞれの先端に設けられ、略鉛直方向に延びる回動軸を中心に回動可能な２つの開閉部と、前記第１仕切り部と前記２つの開閉部とを係止可能な係止部と、を備えることを特徴とする転倒防止治具。
【００１０】
（１）に記載の発明によれば、開閉部は、第２仕切り部の先端に、略水平方向に回動可能に設けられている。そして、係止部により、この開閉部を第１仕切り部に係止可能である。このため、基台と第１仕切り部と第２仕切り部と開閉部とで囲まれ得る領域に物体を配置し、係止部により開閉部を第１仕切り部に係止することで、基台と第１仕切り部と第２仕切り部と開閉部とで物体を囲んで固定して、物体が転倒するのを防止することができる。
【００１１】
また、（１）に記載の発明によれば、１つの係止部により、２つの開閉部を第１仕切り部に係止可能である。このため、基台と第１仕切り部と２つの第２仕切り部のうち一方の第２仕切り部と２つの開閉部のうち一方の開閉部とで囲まれ得る領域、および、基台と第１仕切り部と２つの第２仕切り部のうち他方の第２仕切り部と２つの開閉部のうち他方の開閉部とで囲まれ得る領域に、複数の物体を２つのグループに分けて配置した場合、１つの係止部を用いて２つの開閉部を第１仕切り部に係止することで、複数の物体を固定することができる。また、例えば、上述の２つの領域に複数の物体が２つのグループに分けて配置され、これら複数の物体が固定されている場合、１つの係止部を用いて２つの開閉部を第１仕切り部から解放することで、複数の物体を取り出すことができる。よって、１つの係止部を用いることで、容易かつ短時間に、複数の物体を固定または取り出すことができる。
【００１２】
（２）  （１）に記載の転倒防止治具において、前記第１仕切り部には、略鉛直方向に延びる第１挿通孔が形成され、前記２つの開閉部には、それぞれ、略鉛直方向に延びる２つの第２挿通孔が形成され、前記係止部は、前記第１挿通孔の中心軸と前記２つの第２挿通孔のそれぞれの中心軸とが略鉛直方向に略同一線上に並んだ状態で、前記第１挿通孔と前記２つの第２挿通孔とを挿通することができる棒状部材を有することを特徴とする転倒防止治具。
【００１３】
（２）に記載の発明によれば、棒状部材を有する１つの係止部により、第１仕切り部に形成された第１挿通孔と、２つの開閉部にそれぞれ形成された２つの第２挿通孔と、を挿通して、２つの開閉部を第１仕切り部に係止可能である。このため、上述のように、１つの係止部を用いることで、容易かつ短時間に、複数の物体を固定または取り出すことができる。
【００１４】
（３）  （１）または（２）に記載の転倒防止治具において、前記第１仕切り部および前記２つの第２仕切り部は、それぞれ、略鉛直方向に延びる回動軸を中心に回動可能に前記基台に設けられていることを特徴とする転倒防止治具。
【００１５】
（３）に記載の発明によれば、第１仕切り部および２つの第２仕切り部は、基台に、それぞれ水平方向に回動可能に設けられている。このため、第１仕切り部の基端と第２仕切り部の基端との間隔と比べて、第１仕切り部の先端と第２仕切り部の先端との間隔を広げることができる。したがって、基台と第１仕切り部と第２仕切り部と開閉部とで囲まれ得る領域に、容易かつ短時間に複数の物体を配置することができる。また、基台と第１仕切り部と第２仕切り部と開閉部とで囲まれ得る領域に配置された複数の物体を、容易かつ短時間に取り出すことができる。よって、さらに容易かつ短時間に、複数の物体を固定または取り出すことができる。
【００１６】
（４）  （１）または（２）に記載の転倒防止治具において、略鉛直方向に回動軸を有し、前記第１仕切り部を前記基台に取り付ける第１蝶番と、それぞれが、略鉛直方向に回動軸を有し、前記２つの第２仕切り部をそれぞれ前記基台に取り付ける２つの第２蝶番と、をさらに備えることを特徴とする転倒防止治具。
【００１７】
（４）に記載の発明によれば、第１仕切り部は、基台に、第１蝶番を介して水平方向に回動可能に設けられており、２つの第２仕切り部は、基台に、それぞれ２つの第２蝶番を介して水平方向に回動可能に設けられている。このため、第１仕切り部の基端と第２仕切り部の基端との間隔と比べて、第１仕切り部の先端と第２仕切り部の先端との間隔を広げることができる。したがって、上述のように、さらに容易かつ短時間に、複数の物体を固定または取り外すことができる。
【００１８】
（５）  （１）から（４）のいずれかに記載の転倒防止治具において、前記複数の物体のそれぞれは、立設された略円柱状のガスボンベであり、前記基台は、前記ガスボンベの高さに等しい高さから、前記ガスボンベの高さの半分の高さまでの範囲に設けられていることを特徴とする転倒防止治具。
【００１９】
（５）に記載の発明によれば、ガスボンベの底面は、略円形状なので、略水平な平面上にこのガスボンベを立設することができる。そして、立設されたガスボンベの高さに等しい高さから、立設されたガスボンベの高さの半分の高さまでの範囲に基台を設け、この基台と第１仕切り部と第２仕切り部と開閉部とで囲まれ得る領域にガスボンベを配置し、係止部により開閉部を第１仕切り部に係止することで、ガスボンベを安定して固定することができ、ガスボンベが転倒するのを防止することができる。
【００２０】
（６）  複数の物体の転倒を防止する転倒防止装置であって、水平方向に延びる基台と、前記基台が延びる方向に第１の所定の間隔をおいて前記基台に設けられた３以上の第３仕切り部と、それぞれが、前記第３仕切り部のうち、１つの第３仕切り部とこれに隣接する第３仕切り部との間における前記基台に、前記基台が延びる方向に前記１つの第３仕切り部と前記隣接する第３仕切り部から前記第１の所定の間隔の半分の間隔をおいて設けられた複数の第４仕切り部と、それぞれが、各第４仕切り部の先端に設けられ、略鉛直方向に延びる回動軸を中心に回動可能な複数の一対の開閉部と、それぞれが、前記第４仕切り部のうち、１つの第４仕切り部における前記開閉部の一方とこれに隣接する第４仕切り部における前記開閉部の他方と第３仕切り部とを係止可能な複数の係止部と、を備えることを特徴とする転倒防止装置。
【００２１】
（６）に記載の発明によれば、３以上の第３仕切り部および複数の第４仕切り部は、第１の所定の間隔の半分の間隔おきに交互に基台に設けられており、各第４仕切り部の先端には、隣接する第３仕切り部と係止部により係止可能に、一対の開閉部が設けられている。このため、複数の係止部により、複数の開閉部と複数の第３仕切り部とを係止して、基台と第３仕切り部と第４仕切り部と開閉部とで囲まれ得る領域を複数形成できる。よって、複数の物体を固定して、複数の物体が転倒するのを防止することができる。
【発明の効果】
【００２２】
本発明によれば、基台と第１仕切り部と２つの第２仕切り部のうち一方の第２仕切り部と２つの開閉部のうち一方の開閉部とで囲まれ得る領域、および、基台と第１仕切り部と２つの第２仕切り部のうち他方の第２仕切り部と２つの開閉部のうち他方の開閉部とで囲まれ得る領域に、複数の物体を２つのグループに分けて配置した場合、１つの係止部を用いて２つの開閉部を第１仕切り部に係止することで、複数の物体を固定することができる。また、例えば、上述の２つの領域に複数の物体が２つのグループに分けて配置され、これら複数の物体が固定されている場合、１つの係止部を用いて２つの開閉部を第１仕切り部から解放することで、複数の物体を取り出すことができる。よって、１つの係止部を用いることで、容易かつ短時間に、複数の物体を固定または取り出すことができる。
【発明を実施するための最良の形態】
【００２３】
以下、本発明を実施するための最良の形態について添付した図面を参照しながら説明する。なお、これはあくまでも一実施形態であって、本発明の技術的範囲はこれに限られるものではない。
【００２４】
［第１の実施形態］
図１は、本発明の第１の実施形態に係る転倒防止治具１の使用状態を示す斜視図である。転倒防止治具１は、略水平な平面１０００上に立設された略円柱状のガスボンベ１００の高さの２／３の高さで壁面２０００に固定されており、４本のガスボンベ１００を固定して、これら４本のガスボンベ１００が転倒するのを防止している。
【００２５】
図２は、転倒防止治具１の構成を示す斜視図である。図３は、転倒防止治具１の構成を示す平面図である。転倒防止治具１は、基台１１、第１仕切り部２１、２つの第２仕切り部３１、３２、２つの開閉部４１、４２、および係止部としての落とし棒５１を備えている。
【００２６】
基台１１は、略矩形の金属板で構成されている。基台１１は、図１に示したように壁面２０００に固定され、基台１１の長辺は、水平方向に延びている。この基台１１には、第１領域Ａ１および２つの第２領域Ａ２、Ａ３が形成されている。
【００２７】
第１領域Ａ１は、基台１１の所定の位置に形成されている。基台１１の第１領域Ａ１には、第１仕切り部２１が固定されている。
【００２８】
第２領域Ａ２は、第１領域Ａ１よりも高く、かつ、ガスボンベ１００の直径にほぼ等しい長さだけ第１領域Ａ１から水平方向に離れた基台１１の位置に形成されている。基台１１の第２領域Ａ２には、第２仕切り部３１が固定されている。
【００２９】
第２領域Ａ３は、第２領域Ａ２よりも高く、かつ、ガスボンベ１００の直径にほぼ等しい長さだけ第１領域Ａ１から水平方向に離れた基台１１の位置に、２つの第２領域Ａ２、Ａ３により第１領域Ａ１を挟むように形成されている。基台１１の第２領域Ａ３には、第２仕切り部３２が固定されている。
【００３０】
第１仕切り部２１は、略矩形の金属板で構成されている。第１仕切り部２１の長辺は、基台１１の長辺と略直交し、第１仕切り部２１の長辺の長さは、ガスボンベ１００の直径の略２倍の長さとなっている。この第１仕切り部２１の一端には、基台１１が固定され、第１仕切り部２１の他端には、第１仕切り部２１の短辺の長さだけ略鉛直方向に延びる第１挿通孔２１１が形成されている。
【００３１】
第２仕切り部３１は、略矩形の金属板で構成されている。第２仕切り部３１の長辺は、第１仕切り部２１の長辺と略平行であり、第２仕切り部３１の長辺の長さは、第１仕切り部２１の長辺の長さとほぼ等しくなっている。この第２仕切り部３１の一端には、基台１１が固定され、第２仕切り部３１の他端には、略鉛直方向に回動軸を有する蝶番３１１が取り付けられている。
【００３２】
第２仕切り部３２は、第２仕切り部３１と同様に、略矩形の金属板で構成されている。第２仕切り部３２の長辺は、第１仕切り部２１の長辺と略平行であり、第２仕切り部３２の長辺の長さは、第１仕切り部２１の長辺の長さとほぼ等しくなっている。この第２仕切り部３２の一端には、基台１１が固定され、第２仕切り部３２の他端には、略鉛直方向に回動軸を有する蝶番３２１が取り付けられている。
【００３３】
開閉部４１は、略矩形の金属板で構成されている。開閉部４１の長辺の長さは、ガスボンベ１００の直径とほぼ等しくなっている。この開閉部４１の一端には、蝶番３１１を介して第２仕切り部３１が取り付けられ、開閉部４１の他端には、開閉部４１の短辺の長さだけ略鉛直方向に延びる第２挿通孔４１１が形成されている。第２挿通孔４１１の直径は、第１挿通孔２１１の直径とほぼ等しくなっている。
【００３４】
開閉部４２は、開閉部４１と同様に、略矩形の金属板で構成されている。開閉部４２の長辺の長さは、ガスボンベ１００の直径とほぼ等しくなっている。この開閉部４２の一端には、蝶番３２１を介して第２仕切り部３２が取り付けられ、開閉部４２の他端には、開閉部４２の短辺の長さだけ略鉛直方向に延びる第２挿通孔４２１が形成されている。第２挿通孔４２１の直径は、第１挿通孔２１１の直径および第２挿通孔４１１の直径とほぼ等しくなっている。
【００３５】
落とし棒５１は、棒体５１１および把持部５１２を備えている。
【００３６】
棒体５１１は、金属の棒状部材で構成されている。棒体５１１の長さは、第１挿通孔２１１の略鉛直方向の長さと、第２挿通孔４１１の略鉛直方向の長さと、第２挿通孔４２１の略鉛直方向の長さと、を合わせた長さよりも長くなっている。また、棒体５１１の直径は、第１挿通孔２１１の直径、第２挿通孔４１１の直径、および第２挿通孔４２１の直径よりも小さくなっている。この棒体５１１の一端には、把持部５１２が棒体５１１と一体に形成されている。
【００３７】
把持部５１２は、棒体５１１と同一の金属で構成されている。把持部５１２の水平方向の幅は、第１挿通孔２１１の直径、第２挿通孔４１１の直径、および第２挿通孔４２１の直径よりも大きくなっている。
【００３８】
図４は、２つの開閉部４１、４２の動作を示す平面図である。
【００３９】
開閉部４１は、上述のように、蝶番３１１を介して第２仕切り部３１に取り付けられている。このため、開閉部４１は、蝶番３１１が有する略鉛直方向に延びる回動軸を中心として、開閉部４１の一方の側面が第２仕切り部３１の一方の側面に接する位置から、開閉部４１の他方の側面が第２仕切り部３１の他方の側面に接する位置までの略３６０度の角度で回動可能となっている。
【００４０】
また、開閉部４２は、上述のように、蝶番３２１を介して第２仕切り部３２に取り付けられている。このため、開閉部４２は、蝶番３２１が有する略鉛直方向に延びる回動軸を中心として、開閉部４２の一方の側面が第２仕切り部３２の一方の側面に接する位置から、開閉部４２の他方の側面が第２仕切り部３２の他方の側面に接する位置までの略３６０度の角度で回動可能となっている。
【００４１】
ここで、第１領域Ａ１および２つの第２領域Ａ２、Ａ３は、基台１１のそれぞれ異なる高さに形成されているので、第１仕切り部２１および２つの第２仕切り部３１、３２は、基台１１のそれぞれ異なる高さに固定されている。このため、第１仕切り部２１と、蝶番３１１を介して第２仕切り部３１に取り付けられた開閉部４１と、蝶番３２１を介して第２仕切り部３２に取り付けられた開閉部４２とは、それぞれ、互いに干渉することなく回動する。
【００４２】
以上の転倒防止治具１により、４本のガスボンベ１００を固定する手順を図５（ａ）〜（ｄ）を参照しながら説明する。図５（ａ）〜（ｄ）は、転倒防止治具１により、４本のガスボンベ１００を固定する手順を示す平面図である。
【００４３】
まず、図５（ａ）に示すように、第１挿通孔２１１および２つの第２挿通孔４１１、４２１から、落とし棒５１が有する棒体５１１を取り出して、２つの開閉部４１、４２を第１仕切り部２１から解放する。
【００４４】
次に、図５（ｂ）に示すように、第１挿通孔２１１の中心軸と第２挿通孔４１１の中心軸とが略鉛直方向に同一線上に並んだ状態を基準とすると、蝶番３１１が有する略鉛直方向に延びる回動軸を中心として、反時計回りに１８０度だけ開閉部４１を回動させる。なお、本実施形態では、反時計回りに１８０度だけ開閉部４１を回動させるが、これに限らず、反時計回りに９０度から２７０度の範囲内で開閉部４１を回動させればよい。
【００４５】
また、図５（ｂ）に示すように、第１挿通孔２１１の中心軸と第２挿通孔４２１の中心軸とが略鉛直方向に同一線上に並んだ状態を基準とすると、蝶番３２１が有する略鉛直方向に延びる回動軸を中心として、時計回りに１８０度だけ開閉部４２を回動させる。なお、本実施形態では、時計回りに１８０度だけ開閉部４２を回動させるが、これに限らず、時計回りに９０度から２７０度の範囲内で開閉部４２を回動させればよい。
【００４６】
次に、図５（ｃ）に示すように、領域Ｂ１に、第１仕切り部２１の長辺に沿って２本のガスボンベ１００を配置するとともに、領域Ｂ２に、第１仕切り部２１の長辺に沿って２本のガスボンベ１００を配置する。なお、領域Ｂ１は、基台１１と第１仕切り部２１と第２仕切り部３１と開閉部４１とで囲まれ得る領域である。また、領域Ｂ２は、基台１１と第１仕切り部２１と第２仕切り部３２と開閉部４２とで囲まれ得る領域である。
【００４７】
次に、図５（ｄ）に示すように、蝶番３１１が有する略鉛直方向に延びる回動軸を中心として、開閉部４１を回動させて、第１挿通孔２１１の中心軸と第２挿通孔４１１の中心軸とが略鉛直方向に同一線上に並んだ状態にする。
【００４８】
また、図５（ｄ）に示すように、蝶番３２１が有する略鉛直方向に延びる回動軸を中心として、開閉部４２を回動させて、第１挿通孔２１１の中心軸と第２挿通孔４２１の中心軸とが略鉛直方向に同一線上に並んだ状態にする。
【００４９】
次に、図５（ｅ）に示すように、第１挿通孔２１１および２つの第２挿通孔４１１、４２１に、落とし棒５１が有する棒体５１１を挿通する。
【００５０】
以上により、領域Ｂ１に配置された２本のガスボンベ１００を、基台１１と第１仕切り部２１と第２仕切り部３１と開閉部４１とにより固定する。また、領域Ｂ２に配置された２本のガスボンベ１００を、基台１１と第１仕切り部２１と第２仕切り部３２と開閉部４２とにより固定する。
【００５１】
ここで、本実施形態の転倒防止治具１によれば、開閉部４１は、蝶番３１１を介して第２仕切り部３１に取り付けられており、開閉部４２は、蝶番３２１を介して第２仕切り部３２に取り付けられている。そして、落とし棒５１により、これら２つの開閉部４１、４２を第１仕切り部２１に係止可能である。このため、基台１１と第１仕切り部２１と第２仕切り部３１と開閉部４１とで囲まれ得る領域Ｂ１にガスボンベ１００を配置した後に、落とし棒５１により開閉部４１を第１仕切り部２１に係止する。これにより、領域Ｂ１に配置されたガスボンベ１００を、基台１１と第１仕切り部２１と第２仕切り部３１と開閉部４１とにより囲んで固定することができる。また、基台１１と第１仕切り部２１と第２仕切り部３２と開閉部４２とで囲まれ得る領域Ｂ２にガスボンベ１００を配置した後に、落とし棒５１により開閉部４２を第１仕切り部２１に係止する。これにより、領域Ｂ２に配置されたガスボンベ１００を、基台１１と第１仕切り部２１と第２仕切り部３２と開閉部４２とにより囲んで固定することができる。以上のように、ガスボンベ１００を固定することで、ガスボンベ１００が転倒するのを防止することができる。
【００５２】
また、本実施形態の転倒防止治具１によれば、１つの落とし棒５１により、２つの開閉部４１、４２を第１仕切り部２１に係止可能である。このため、領域Ｂ１、Ｂ２にそれぞれ２本のガスボンベ１００を配置した場合、１つの落とし棒５１を用いて２つの開閉部４１、４２を第１仕切り部２１に係止することで、４本のガスボンベ１００を囲んで固定することができる。また、領域Ｂ１、Ｂ２にそれぞれ２本のガスボンベ１００が配置され、各ガスボンベ１００が固定されている場合、１つの落とし棒５１を用いて２つの開閉部４１、４２を第１仕切り部２１から解放することで、４本のガスボンベ１００を取り出すことができる。よって、１つの落とし棒５１を用いることで、容易かつ短時間に、４本のガスボンベ１００を固定または取り出すことができる。
【００５３】
また、本実施形態の転倒防止治具１によれば、棒体５１１を有する１つの落とし棒５１により、第１仕切り部２１に形成された第１挿通孔２１１と、開閉部４１に形成された第２挿通孔４１１と、開閉部４２に形成された第２挿通孔４２１と、を挿通して、２つの開閉部４１、４２を第１仕切り部２１に係止可能である。したがって、上述のように、１つの落とし棒５１を用いることで、容易かつ短時間に、複数のガスボンベ１００を固定または取り出すことができる。
【００５４】
また、本実施形態の転倒防止治具１によれば、ガスボンベ１００の底面は、略円形状なので、略水平や平面１０００上にガスボンベ１００を立設することができる。そして、立設されたガスボンベ１００の高さの２／３の高さで壁面２０００に基台１１を固定し、領域Ｂ１、Ｂ２にそれぞれ２本のガスボンベ１００を配置し、落とし棒５１により２つの開閉部４１、４２を第１仕切り部２１に係止することで、４本のガスボンベ１００を安定して固定することができ、これら４本のガスボンベが転倒するのを防止することができる。
【００５５】
［第２の実施形態］
以下、本発明の第２の実施形態に係る転倒防止治具１’について説明する。
【００５６】
図６は、転倒防止治具１’の構成を示す斜視図である。転倒防止治具１’は、図２に示した第１の実施形態に係る転倒防止治具１と比べて、基台１１と、第１仕切り部２１および２つの第２仕切り部３１、３２と、の関係が異なる。その他の構成については、図２に示した第１の実施形態に係る転倒防止治具１と同様であるため、同一の符号を付して、説明を省略する。
【００５７】
転倒防止治具１’では、第１仕切り部２１および２つの第２仕切り部３１、３２は、基台１１に、水平方向に回動可能に設けられている。
【００５８】
具体的には、第１仕切り部２１は、基台１１の第１領域Ａ１に、略鉛直方向に回動軸を有する第１蝶番２１２を介して取り付けられている。第２仕切り部３１は、基台１１の第２領域Ａ２に、略鉛直方向に回動軸を有する第２蝶番３１２を介して取り付けられている。第２仕切り部３２は、基台１１の第２領域Ａ３に、略鉛直方向に回動軸を有する第２蝶番３２２を介して取り付けられている。
【００５９】
図７は、２つの開閉部４１、４２、第１仕切り部２１、および２つの第２仕切り部３１、３２の動作を示す平面図である。
【００６０】
２つの開閉部４１、４２は、それぞれ、図４に示した第１の実施形態に係る２つの開閉部４１、４２と同様に、蝶番３１１、３２１を介して、略３６０の角度で回動可能となっている。
【００６１】
第１仕切り部２１は、上述のように、第１蝶番２１２を介して基台１１に取り付けられている。このため、第１仕切り部２１は、第１蝶番２１２が有する略鉛直方向に延びる回動軸を中心として、第１仕切り部２１の一方の側面が基台１１に接する位置から、第１仕切り部２１の他方の側面が基台１１に接する位置までの略１８０の角度で回動可能となっている。
【００６２】
第２仕切り部３１は、上述のように、第２蝶番３１２を介して基台１１に取り付けられている。このため、第２仕切り部３１は、第２蝶番３１２が有する略鉛直方向に延びる回動軸を中心として、第２仕切り部３１の一方の側面が基台１１に接する位置から、第２仕切り部３１の他方の側面が基台１１に接する位置までの略１８０度の角度で回動可能となっている。
【００６３】
第２仕切り部３２は、上述のように、第２蝶番３２２を介して基台１１に取り付けられている。このため、第２仕切り部３２は、第２蝶番３２２が有する略鉛直方向に延びる回動軸を中心として、第２仕切り部３２の一方の側面が基台１１に接する位置から、第２仕切り部３２の他方の側面が基台１１に接する位置までの略１８０度の角度で回動可能となっている。
【００６４】
ここで、第１領域Ａ１および２つの第２領域Ａ２、Ａ３は、基台１１のそれぞれ異なる高さに形成されているので、第１仕切り部２１および２つの第２仕切り部３１、３２は、基台１１のそれぞれ異なる高さに取り付けられている。このため、第１仕切り部２１と、第２仕切り部３１と、第２仕切り部３２とは、それぞれ、互いに干渉することなく回動する。また、第１仕切り部２１と、蝶番３１１を介して第２仕切り部３１に取り付けられた開閉部４１と、蝶番３２１を介して第２仕切り部３２に取り付けられた開閉部４２とは、それぞれ、互いに干渉することなく回動する。
【００６５】
ここで、本実施形態の転倒防止治具１’によれば、第１仕切り部２１は、基台１１に、第１蝶番２１２を介して水平方向に回動可能に取り付けられており、２つの第２仕切り部３１、３２は、基台１１に、それぞれ、２つの第２蝶番３１２、３２２を介して水平方向に回動可能に取り付けられている。このため、第１仕切り部２１の基端と第２仕切り部３１の基端との間隔と比べて、第１仕切り部２１の先端と第２仕切り部３１の先端との間隔を広げることができる。また、第１仕切り部２１の基端と第２仕切り部３２の基端との間隔と比べて、第１仕切り部２１の先端と第２仕切り部３２の先端との間隔を広げることができる。したがって、領域Ｂ１や領域Ｂ２に、容易かつ短時間にガスボンベ１００を配置することができる。また、領域Ｂ１に配置されたガスボンベ１００や、領域Ｂ２に配置されたガスボンベ１００を、容易かつ短時間に取り出すことができる。よって、さらに容易かつ短時間に、４つのガスボンベ１００を固定または取り出すことができる。
【００６６】
［第３の実施形態］
以下、本発明の第３の実施形態に係る転倒防止治具１’’について説明する。
【００６７】
図８は、転倒防止治具１’’の構成を示す斜視図である。転倒防止治具１’’は、図６に示した第２の実施形態に係る転倒防止治具１’と比べて、基台１１に形成されている第１領域Ａ１および２つの第２領域Ａ２、Ａ３の位置と、第１挿通孔２１１および２つの第２挿通孔４１１、４２１の略鉛直方向の長さおよび設けられている高さと、が異なる。その他の構成については、図６に示した第２の実施形態に係る転倒防止治具１’と同様であるため、同一の符号を付して、説明を省略する。
【００６８】
転倒防止治具１’’では、第１領域Ａ１および２つの第２領域Ａ２、Ａ３は、基台１１の略水平方向に同じ高さに形成されている。
【００６９】
具体的には、第１領域Ａ１は、基台１１の所定の位置に形成されている。第２領域Ａ２は、第１領域Ａ１と略鉛直方向に同じ高さで、かつ、ガスボンベ１００の直径にほぼ等しい長さだけ第１領域Ａ１から水平方向に離れた基台１１の位置に形成されている。第２領域Ａ３は、第１領域Ａ１と略鉛直方向に同じ高さで、かつ、ガスボンベ１００の直径にほぼ等しい長さだけ第１領域Ａ１から水平方向に離れた基台１１の位置に、２つの第２領域Ａ２、Ａ３により第１領域Ａ１を挟むように形成されている。
【００７０】
また、転倒防止治具１’’では、第１挿通孔２１１および２つの第２挿通孔４１１、４２１は、それぞれ、略鉛直方向に異なる高さに設けられており、第１挿通孔２１１および２つの第２挿通孔４１１、４２１の略鉛直方向の長さは、それぞれ、第１仕切り部２１の短辺の長さの１／３の長さと等しくなっている。
【００７１】
具体的には、第１挿通孔２１１は、第１仕切り部２１の他端の所定の位置に、第１仕切り部２１の短辺の長さの１／３の長さだけ略鉛直方向に延びて形成されている。第２挿通孔４１１は、第１挿通孔２１１が形成されている略鉛直方向の高さよりも低い開閉部４１の他端の位置に、第１仕切り部２１の短辺の長さの１／３の長さだけ略鉛直方向に延びて形成されている。第２挿通孔４２１は、第１挿通孔２１１が形成されている略鉛直方向の高さよりも高い開閉部４２の他端の位置に、第１仕切り部２１の短辺の長さの１／３の長さだけ略鉛直方向に延びて形成されている。
【００７２】
したがって、転倒防止治具１’’では、第１挿通孔２１１および２つの第２挿通孔４１１、４２１は、互いに干渉することなく、それぞれの中心軸が略垂直方向に同一線上に並んだ状態となることが可能となっている。
【００７３】
ここで、本実施形態に係る転倒防止治具１’’によれば、第１領域Ａ１および２つの第２領域Ａ２、Ａ３が基台１１の略水平方向に同じ高さに形成されているので、第１領域Ａ１および２つの第２領域Ａ２、Ａ３が基台１１の略水平方向にそれぞれ異なる高さに形成されている場合と比べて、基台１１の略垂直方向の長さを短くすることができる。したがって、略矩形の基台１１の短辺の長さを短くして、転倒防止治具１’’を小型化することができる。
【００７４】
［第４の実施形態］
以下、本発明の第４の実施形態に係る転倒防止装置５について説明する。
【００７５】
図９は、転倒防止装置５の構成を示す斜視図である。転倒防止装置５は、第１の実施形態に係る転倒防止治具１と同様に、ガスボンベ１００を固定して、ガスボンベ１００が転倒するのを防止する。この転倒防止装置５は、基台１１’、４つの第３仕切り部２１’、２つの第４仕切り部３１’、３つの第４仕切り部３２’、４つの開閉部４１’、４つの開閉部４２’、および係止部としての４つの落とし棒５１を備えている。
【００７６】
転倒防止装置５は、図６に示した第２の実施形態に係る転倒防止治具１’を４つ備えたような構成となっている。そして、互いに隣り合う２つの転倒防止治具１’の境界に位置する２つの第２仕切り部３１が一体に形成され、この一体に形成された１つの第２仕切り部３１には、１つの蝶番３１１を介して２つの開閉部４１が取り付けられているような構成となっている。また、互いに隣り合う２つの転倒防止治具１’の境界に位置する２つの第２仕切り部３２が一体に形成され、この一体に形成された１つの第２仕切り部３２には、１つの蝶番３２１を介して２つの開閉部４２が取り付けられているような構成となっている。
【００７７】
以下、図９を用いて、転倒防止装置５について詳述する。
【００７８】
基台１１’は、略矩形の金属板で構成されている。基台１１’は、例えば壁面２０００に固定され、基台１１’の長辺は、水平方向に延びている。この基台１１’には、４つの第３領域Ａ１’、２つの第４領域Ａ２’、および３つの第４領域Ａ３’が形成されている。
【００７９】
４つの第３領域Ａ１’のそれぞれは、所定の高さで、かつ、基台１１’が延びる方向に第１の所定の間隔としてガスボンベ１００の直径の略２倍の長さの間隔おきに、基台１１’に形成されている。
【００８０】
２つの第４領域Ａ２’のそれぞれは、４つの第３領域Ａ１’が形成されている位置よりも高い基台１１’の位置に形成されている。また、３つの第４領域Ａ３’のそれぞれは、２つの第４領域Ａ２’が形成されている位置よりも高い基台１１’の位置に形成されている。また、これら２つの第４領域Ａ２’および３つの第４領域Ａ３’は、基台１１’が延びる方向にガスボンベ１００の直径の略２倍の長さの間隔おきに交互に、基台１１’に形成されている。
【００８１】
すなわち、各第３領域Ａ１’は、所定の高さの基台１１’の位置に形成されている。また、各第４領域Ａ２’は、各第３領域Ａ１’が形成されている位置よりも高い基台１１’の位置に形成されている。また、各第４領域Ａ３’は、第４領域Ａ２’が形成されている位置よりも高い基台１１’の位置に形成されている。そして、各第３領域Ａ１’は、互いに隣接する第４領域Ａ２’および第４領域Ａ３’の水平方向に中間の位置で、これら互いに隣接する第４領域Ａ２’および第４領域Ａ３’により挟まれている。
【００８２】
基台１１’の４つの第３領域Ａ１’には、それぞれ、それぞれが略鉛直方向に回動軸を有する４つの第３蝶番２１２’を介して、４つの第３仕切り部２１’が取り付けられている。また、基台１１’の２つの第４領域Ａ２’には、それぞれ、それぞれが略鉛直方向に回動軸を有する２つの第４蝶番３１２’を介して、２つの第４仕切り部３１’が取り付けられている。また、基台１１’の３つの第４領域Ａ３’には、それぞれ、それぞれが略鉛直方向に回動軸を有する３つの第４蝶番３２２’を介して、３つの第４仕切り部３２’が取り付けられている。
【００８３】
４つの第３仕切り部２１’のそれぞれは、略矩形の金属板で構成されている。各第３仕切り部２１’の長辺は、基台１１’の長辺と略直交し、各第３仕切り部２１’の長辺の長さは、ガスボンベ１００の直径の略２倍となっている。これら各第３仕切り部２１’の一端には、各第３蝶番２１２’を介して基台１１’が取り付けられ、各第３仕切り部２１’の他端には、各第３仕切り部２１’の短辺の長さだけ略鉛直方向に延びる第３挿通孔２１１’が形成されている。
【００８４】
２つの第４仕切り部３１’のそれぞれは、略矩形の金属板で構成されている。各第４仕切り部３１’の長辺は、各第３仕切り部２１’の長辺と略平行であり、各第４仕切り部３１’の長辺の長さは、各第３仕切り部２１’の長辺の長さとほぼ等しくなっている。これら各第４仕切り部３１’の一端には、各第４蝶番３１２’介して基台１１’が取り付けられ、各第４仕切り部３１’の他端には、略鉛直方向に回動軸を有する蝶番３１１’が取り付けられている。
【００８５】
３つの第４仕切り部３２’のそれぞれは、２つの第４仕切り部３１’のそれぞれと同様に、略矩形の金属板で構成されている。各第４仕切り部３２’の長辺は、各第３仕切り部２１’の長辺と略平行であり、各第４仕切り部３２’の長辺の長さは、各第３仕切り部２１’の長辺の長さとほぼ等しくなっている。これら各第４仕切り部３２’の一端には、各第４蝶番３２２’を介して基台１１’が取り付けられ、各第４仕切り部３２’の他端には、略鉛直方向に回動軸を有する蝶番３２１’が取り付けられている。
【００８６】
４つの開閉部４１’のそれぞれは、略矩形の金属板で構成されている。各開閉部４１’の長辺の長さは、ガスボンベ１００の直径とほぼ等しくなっている。これら４つの開閉部４１’は、２つのグループに分かれており、各グループは、一対の開閉部としての２つの開閉部４１’で構成されている。
【００８７】
４つの開閉部４１’の他端には、それぞれ、各開閉部４１’の短辺の長さだけ略鉛直方向に延びる第４挿通孔４１１’が形成されている。各第４挿通孔４１１’の直径は、各第３挿通孔２１１’の直径とほぼ等しくなっている。
【００８８】
また、上述の２つのグループのうち一方のグループを構成する２つの開閉部４１’の一端には、それぞれ、２つの蝶番３１１’のうち一方の蝶番３１１’を介して、２つの第４仕切り部３１’のうち一方の第４仕切り部３１’が取り付けられている。また、上述の２つのグループのうち他方のグループを構成する２つの開閉部４１’の一端には、それぞれ、２つの蝶番３１１’のうち他方の蝶番３１１’を介して、２つの第４仕切り部３１’のうち他方の第４仕切り部３１’が取り付けられている。
【００８９】
４つの開閉部４２’のそれぞれは、４つの開閉部４１’のそれぞれと同様に、略矩形の金属板で構成されている。各開閉部４２’の長辺の長さは、ガスボンベ１００の直径とほぼ等しくなっている。これら４つの開閉部４２’は、３つのグループに分かれており、第１のグループは、４つの開閉部４２’のうち２つの開閉部４２’で構成されている。また、第２のグループは、４つの開閉部４２’のうち第１のグループを構成する２つの開閉部４２’を除く２つの開閉部４２’の一方で構成されている。また、第３のグループは、４つの開閉部４２’のうち第１のグループを構成する２つの開閉部４２’を除く２つの開閉部４２’の他方で構成されている。
【００９０】
４つの開閉部４２’の他端には、それぞれ、各開閉部４２’の短辺の長さだけ略鉛直方向に延びる第４挿通孔４２１’が形成されている。各第４挿通孔４２１’の直径は、各第３挿通孔２１１’の直径および各第４挿通孔４１１’の直径とほぼ等しくなっている。
【００９１】
また、上述の３つのグループのうち第１のグループを構成する２つの開閉部４２’の一端には、それぞれ、３つの蝶番３２１’のうち１つの蝶番３２１’を介して、３つの第４仕切り部３２’のうち１つの第４仕切り部３２’が取り付けられている。また、上述の３つのグループのうち第２のグループを構成する１つの開閉部４２’の一端と、上述の３つのグループのうち第３のグループを構成する１つの開閉部４２’の一端とには、それぞれ、３つの蝶番３２１’のうち上述の１つの蝶番３２１’を除く２つの蝶番３２１’のそれぞれを介して、３つの第４仕切り部３２’のうち上述の１つの第４仕切り部３２’を除く２つの第４仕切り部３２’のそれぞれが取り付けられている。
【００９２】
４つの落とし棒５１’のそれぞれは、棒体５１１’および把持部５１２’を備えている。
【００９３】
棒体５１１’は、金属の棒状部材で構成されている。棒体５１１’の長さは、第３挿通孔２１１’の略鉛直方向の長さと、第４挿通孔４１１’の略鉛直方向の長さと、第４挿通孔４２１’の略鉛直方向の長さと、を合わせた長さよりも長くなっている。また、棒体５１１’の直径は、第３挿通孔２１１’の直径、第４挿通孔４１１’の直径、および第４挿通孔４２１’の直径よりも小さくなっている。この棒体５１１’の一端には、把持部５１２’が棒体５１１’と一体に形成されている。
【００９４】
把持部５１２’は、棒体５１１’と同一の金属で構成されている。把持部５１２’の水平方向の幅は、第３挿通孔２１１’の直径、第４挿通孔４１１’の直径、および第４挿通孔４２１’の直径よりも大きくなっている。
【００９５】
図１０は、４つの第３仕切り部２１’、２つの第４仕切り部３１’、３つの第４仕切り部３２’、４つの開閉部４１’、および４つの開閉部４２’の動作を示す平面図である。
【００９６】
４つの第３仕切り部２１’は、それぞれ、図７に示した第２の実施形態に係る第１仕切り部２１と同様に動作する。すなわち、各第３仕切り部２１’は、各第３蝶番２１２’が有する略鉛直方向に延びる回動軸を中心として、各第３仕切り部２１’の一方の側面が基台１１’に接する位置から、各第３仕切り部２１’の他方の側面が基台１１’に接する位置までの略１８０の角度で回動可能となっている。
【００９７】
２つの第４仕切り部３１’は、それぞれ、図７に示した第２の実施形態に係る第２仕切り部３１と同様に動作する。すなわち、各第４仕切り部３１’は、各第４蝶番３１２’が有する略鉛直方向に延びる回動軸を中心として、各第４仕切り部３１’の一方の側面が基台１１’に接する位置から、各第４仕切り部３１’の他方の側面が基台１１’に接する位置までの略１８０の角度で回動可能となっている。
【００９８】
３つの第４仕切り部３２’は、それぞれ、図７に示した第２の実施形態に係る第２仕切り部３２と同様に動作する。すなわち、各第４仕切り部３２’は、各第４蝶番３２２’が有する略鉛直方向に延びる回動軸を中心として、各第４仕切り部３２’の一方の側面が基台１１’に接する位置から、各第４仕切り部３２’の他方の側面が基台１１’に接する位置までの略１８０の角度で回動可能となっている。
【００９９】
４つの開閉部４１’のうち上述の一方のグループを構成する２つの開閉部４１’は、それぞれ、２つの蝶番３１１’のうち上述の一方の蝶番３１１’を介して、２つの第４仕切り部３１’のうち上述の一方の第４仕切り部３１’に取り付けられている。このため、上述の一方のグループを構成する２つの開閉部４１’は、上述の一方の蝶番３１１’が有する略鉛直方向に延びる回動軸を中心として、各開閉部４１’の一方の側面が、自身が取り付けられている第４仕切り部３１’の一方の側面に接する位置から、各開閉部４１’の他方の側面が、自身が取り付けられている第４仕切り部３１’と同一の第４仕切り部３１’に取り付けられている他の開閉部４１’の他方の側面に接する位置までの角度で回動可能となっている。
【０１００】
また、４つの開閉部４１’のうち上述の他方のグループを構成する２つの開閉部４１’は、上述の一方のグループを構成する２つの開閉部４１’と同様に動作する。
【０１０１】
４つの開閉部４２’のうち上述の第１のグループを構成する２つの開閉部４２’は、それぞれ、３つの蝶番３２１’のうち上述の１つの蝶番３２１’を介して、３つの第４仕切り部３２’のうち上述の１つの第４仕切り部３２’に取り付けられている。このため、上述の第１のグループを構成する２つの開閉部４２’は、上述の１つの蝶番３２１’が有する略鉛直方向に延びる回動軸を中心として、各開閉部４２’の一方の側面が、自身が取り付けられている第４仕切り部３２’の一方の側面に接する位置から、各開閉部４２’の他方の側面が、自身が取り付けられている第４仕切り部３２’と同一の第４仕切り部３２’に取り付けられている他の開閉部４２’の他方の側面に接する位置までの角度で回動可能となっている。
【０１０２】
また、４つの開閉部４２’のうち、上述の第２のグループを構成する１つの開閉部４２’と、上述の第３のグループを構成する１つの開閉部４２’とは、それぞれ、図７に示した第２の実施形態に係る開閉部４２と同様に動作する。すなわち、上述の２つの開閉部４２’は、それぞれ、３つの蝶番３２１’のうち上述の１つの蝶番３２１’を除くその他の２つの蝶番３２１’がそれぞれ有する略鉛直方向に延びる回動軸を中心として、各開閉部４２’の一方の側面が、自身が取り付けられている第４仕切り部３２’の一方の側面に接する位置から、各開閉部４２’の他方の側面が、自身が取り付けられている第４仕切り部３２’の他方の側面に接する位置までの略３６０の角度で回動可能となっている。
【０１０３】
ここで、本実施形態に係る転倒防止装置５によれば、基台１１’と第３仕切り部２１’と第４仕切り部３１’と開閉部４１’とで囲まれ得る領域を４つ形成でき、基台１１’と第３仕切り部２１’と第４仕切り部３２’と開閉部４２’とで囲まれ得る領域を４つ形成できる。ここで、これら８つの領域には、それぞれ、２本のガスボンベ１００を配置できる。したがって、これら８つの領域にそれぞれ２本のガスボンベ１００を配置して、落とし棒５１’により、第３仕切り部２１’と開閉部４１’と開閉部４２’とを係止することで、１６本のガスボンベ１００を固定して、これら１６本のガスボンベ１００が転倒するのを防止することができる。
【０１０４】
なお、本発明は上述の各実施形態に限定されるものではなく、本発明の目的を達成できる範囲内での変形、改良等は本発明に含まれるものである。
【０１０５】
例えば、上述の各実施形態では、ガスボンベ１００が転倒するのを防止したが、これに限らず、例えば図１１に示すように、バレーボールのネットを係止するための支柱２００が転倒するのを防止してもよい。図１１では、転倒防止治具１’が、略水平な平面１０００上に立設された支柱２００の高さの略半分の高さで壁面２０００に固定されており、２本の支柱２００を固定して、これら２本の支柱２００が転倒するのを防止している。
【０１０６】
また、上述の第１の実施形態では、転倒防止治具１を、略水平な平面１０００上に立設された略円柱形状のガスボンベ１００の高さの２／３の高さで壁面２０００に固定したが、これに限らず、例えば１／２の高さや３／５の高さであってもよい。
【０１０７】
また、上述の第１の実施形態から第３の実施形態では、領域Ｂ１、領域Ｂ２には、第１仕切り部２１の長辺に沿って２本のガスボンベ１００を配置できることとしたが、これに限らない。例えば、第１仕切り部２１および第２仕切り部３１の間と、第１仕切り部２１および第２仕切り部３２の間とに、それぞれ２本のガスボンベ１００を配置できることとしてもよい。
【０１０８】
また、上述の第１の実施形態から第３の実施形態では、領域Ｂ１、Ｂ２に、それぞれ２本のガスボンベ１００を配置できることとしたが、これに限らず、例えば、それぞれ１本や３本のガスボンベ１００を配置できることとしてもよい。
【０１０９】
また、上述の第４の実施形態では、転倒防止装置５は、図６に示した第２の実施形態に係る転倒防止治具１’を４つ備えたような構成となっているが、これに限らない。例えば、図６に示した第２の実施形態に係る転倒防止治具１’を６つ備えたような構成であってもよい。また、例えば、図８に示した第３の実施形態に係る転倒防止治具１’’を８つ備えたような構成であってもよい。
【図面の簡単な説明】
【０１１０】
【図１】本発明の第１の実施形態に係る転倒防止治具の使用状態を示す斜視図。
【図２】前記転倒防止治具の構成を示す斜視図。
【図３】前記転倒防止治具の構成を示す平面図。
【図４】前記転倒防止治具が備える２つの開閉部の動作を示す平面図。
【図５】前記転倒防止治具により、ガスボンベを固定する手順を示す平面図。
【図６】本発明の第２の実施形態に係る転倒防止治具の構成を示す斜視図。
【図７】前記転倒防止治具が備える開閉部、第１仕切り部、および第２仕切り部の動作を示す平面図。
【図８】本発明の第３の実施形態に係る転倒防止治具の構成を示す斜視図。
【図９】本発明の第４の実施形態に係る転倒防止装置の構成を示す斜視図。
【図１０】前記転倒防止装置が備える第３仕切り部、第４仕切り部、および開閉部の動作を示す平面図。
【図１１】本発明の変形例に係る転倒防止治具の使用状態を示す斜視図。
【符号の説明】
【０１１１】
１、１’、１’’  転倒防止治具
５  転倒防止装置
１１、１１’  基台
２１  第１仕切り部
２１’  第３仕切り部
３１、３２  第２仕切り部
３１’３２’  第４仕切り部
４１、４２、４１’、４２’  開閉部
５１、５１’  落とし棒
１００  ガスボンベ
２１１  第１挿通孔
２１１’  第３挿通孔
２１２  第１蝶番
３１１、３１１’、３２１、３２１’  蝶番
３１２、３２２  第２蝶番
３１２’、３２２’  第４蝶番
４１１、４２１  第２挿通孔
４１１’、４２１’  第４挿通孔
５１１、５１１’  棒体
５１２、５１２’  把持部
【図１】
2008169943.tif 000003
【図２】
2008169943.tif 000004
【図３】
2008169943.tif 000005
【図４】
2008169943.tif 000006
【図５】
2008169943.tif 000007
【図６】
2008169943.tif 000008
【図７】
2008169943.tif 000009
【図８】
2008169943.tif 000010
【図９】
2008169943.tif 000011
【図１０】
2008169943.tif 000012
【図１１】
2008169943.tif 000013